(57)【要約】      （修正有）【課題】誰でも被包装物に変形や崩れなどを生じることなく、円滑に包装を解き、包丁を使用せず、均等に美しく裁断し、ケーキサーバーなどを要さずとも簡単に銘々皿に移し変えることができるケーキ類用トレーシートを提供する。【解決手段】中央に搭載する被包装物７の外側となる周囲に把持代２３を設定した台紙２であって、台紙２は、２以上の分離区画２２，２２，……に分割するよう横断する少なくとも１本の線状脆弱部２１，２１を有し、台紙２の裏面壁側には、各線状脆弱部２１，２１に沿って平行すると共に、各両端が各線状脆弱部２１，２１の両外端に吐出可能とするよう配した切索５０，５０を有する裁断手段５，５を添設してなるケーキ類用トレーシート１である。【選択図】図８
0003196731.tif 000002
【実用新案登録請求の範囲】
【請求項１】
中央に被包装物の搭載域、該搭載域の外がわに把持代を設定した台紙であって、該台紙は、搭載域を２以上の分離区画に分割するよう横断する少なくとも１本の線状脆弱部を有し、該台紙の裏面壁がわには、適宜長さの切索が、各線状脆弱部に沿って平行すると共に、各切索両端が各線状脆弱部の両外端に吐出可能とするよう配した裁断手段を添設してなるものとしたことを特徴とするケーキ類用トレーシート。
【請求項２】
中央に被包装物の搭載域、該搭載域の外がわに把持代を設定した台紙であって、該台紙は、搭載域を２以上の分離区画に分割するよう横断する少なくとも１本の線状脆弱部を有し、該台紙の裏面壁がわには、適宜長さの切索が、各線状脆弱部に沿って平行すると共に、各切索両端が各線状脆弱部の両外端に吐出可能とするよう配した裁断手段を添設し、切索１本毎の両端を搭載域被包装物外がわから中央上部に交叉するよう迂回し、線状脆弱部諸共絞り切断するよう操作可能なものとしてなるケーキ類用トレーシート。
【請求項３】
中央に被包装物の搭載域、該搭載域の外がわに把持代を設定した台紙であって、該台紙は、搭載域を２以上の分離区画に分割するよう横断する少なくとも１本の線状脆弱部を有し、該台紙の裏面壁がわには、適宜長さの切索が、各線状脆弱部に沿って平行すると共に、各切索両端が各線状脆弱部の両外端に吐出可能とするよう配した裁断手段を配し、各切索を各線状脆弱部に沿うよう抱持する裁断手段用装着部を添設してなるものとしたことを特徴とするケーキ類用トレーシート。
【請求項４】
裁断手段用の各切索が、その両端夫々に把持用舌片を有してなるものとした、請求項１ないし３何れか一項記載のケーキ類用トレーシート。
【請求項５】
裁断手段用の各切索が、その両端夫々に、台紙各線状脆弱部の外端に対応する把持代に設けた把持用舌片を一体化してなるものとした、請求項１ないし４何れか一項記載のケーキ類用トレーシート。
【請求項６】
台紙各線状脆弱部の外端に対応する把持代、および、各把持用舌片の少なくとも一方に、各切索の両端を一対として個別確認可能な識別印を表示してなるものとした、請求項１ないし５何れか一項記載のケーキ類用トレーシート。
【請求項７】
台紙各線状脆弱部の外端に対応する把持代、および、各把持用舌片の少なくとも一方に、裁断手段各切索の搭載域の外がわに延びる両端がわ夫々を、被包装物を裁断操作する場合に展開および延伸の少なくとも何れか一方を可能とするよう仮固定可能な切索端収納部を有してなるものとした、請求項１ないし６何れか一項記載のケーキ類用トレーシート。
【請求項８】
裁断手段用の各切索が、その両端夫々に、切索端収納部としての切索巻き揚げ軸を有してなるものとした、請求項１ないし７何れか一項記載のケーキ類用トレーシート。
【請求項９】
台紙が、上層部、および、該上層部下面壁がわとの間に各裁断手段を挟み、積層するよう下層部を配し、該下層部の各裁断手段に対応する範囲を、線状脆弱部を有して抱持する裁断手段用装着部とした下層部の、裁断手段用装着部の余となる上面壁糊代域を貼着してなるものとした、請求項１ないし８何れか一項記載のケーキ類用トレーシート。
【請求項１０】
台紙が、上層部および下層部からなり、何れか一方が高強度の硬質素材製、何れか他方が変形容易な軟質素材製のものとし、互いの線状脆弱部同士を一致するよう対応し、各分離区画相当範囲を貼着一体化してなる、請求項１ないし９何れか一項記載のケーキ類用トレーシート。
【請求項１１】
台紙が、複数本の線状脆弱部中途同士を、搭載域内に交叉するよう配し、それら線状脆弱部中途同士の交叉位置に、同線状脆弱部の幅寸法よりも大きく拡開状した切索用の誘導孔を穿設してなる、請求項１ないし１０何れか一項記載のケーキ類用トレーシート。
【考案の詳細な説明】
【技術分野】
【０００１】
この考案は、ホールケーキの外、メレンゲを絡ませスポンジ状に作るケーキ類を載置して展示、販売するときに必要となるトレーシート（台紙）を製造、販売、使用する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                    
【背景技術】
【０００２】
（着目点）
クリスマスや誕生日を祝うホールケーキやロールケーキなどのように、カット前の形状のまま包装・販売するお菓子は、包装を解き、切り分ける場合に、一般家庭で平面視円形のケーキを中心に先端を寄せた同じ角度寸法の扇形に正確に切り分けることは非常に難しく、刃渡りの長いケーキ切り用の包丁を準備しておかなければ、綺麗に飾り付けられたケーキも、スポンジが潰れて飾り付けが傾き、倒れたり落下したりしてしまうなど形が崩れてしまい、さらに、カットしたケーキを皿に移すとき、ケーキサーバーなどを使わなければ、ホールケーキの平面視遠心方向に引き出すよう移動するのが難しく、分離できたとしても形崩れが進み、手際を誤ると横転させてしまうなど、なかなか上手に切り分けるのは至難の業であった。
【０００３】
（従来の技術）
こうした状況を反映し、その打開策となるような提案もこれまでに散見されない訳ではない。
例えば、下記の特許文献１（１）に提案されているものに代表されるように、ロールケーキの外周囲を回り込んで余りある長さとした細線の両端に摘み部を設け、ロールケーキ本体下部に細線を渡し、ケーキ本体上部に摘み部を交差し、細線を巻き付けた状態に反対方向へ引っ張り、包丁を使うことなく所望の厚みに裁断可能としたものや、同特許文献１（２）に見られるような、平面円形のケーキを包囲可能な円形枠の一直径方向両外側縁に把持片を設け、該円形枠に正８角形の対角線状となるよう、４本のワイヤを４５°の角度置き毎に中央で交差するよう張設し、ケーキ上端から下端まで押し下げるようにして８個に切り分け可能としてなるもの、また、同特許文献１（３）に示されているもののように、ロールケーキ用の載置面を有する支持台に対し開閉自在に連結した枠状フレームに、所定間隔毎ワイヤを張設してなり、載置面にロールケーキを置き、支持台に対し枠状フレームを閉じるよう倒し込み、各ワイヤがロールケーキを均等に裁断可能としてなるものなどが散見される。
【０００４】
しかし、前者特許文献１（１）に示されているような、細線の両端に摘み部を設けたカット器具は、包装を解いたロールケーキの下部に細線を渡すよう潜り込ませるため、ロールケーキを把持して持ち上げたり、ケーキサーバーを用いたりしなければならず、ケーキを崩してしまったり、横転させてしまったりする虞があり、特許文献１（２）や後者特許文献１（３）のケーキ裁断手段類は、ワイヤをケーキ天面から底面に向けて押し下げる圧力を加えて裁断するものであり、スポンジを押し潰して崩したり、飾りを傾けてしまったりする虞があった。                                                                    
【特許文献１】（１）特開２０１１−１８９４５０号公報    （２）実用新案登録第３０６６８０５号公報    （３）実用新案登録第３１６０５１０号公報
【考案の概要】
【考案が解決しようとする課題】
【０００５】
（問題意識）
上述したとおり、従前までに提案のある各種ケーキ用の裁断手段類は、何れも包装されているケーキの包装を解いて取り出した上、ケーキを持ち上げるようにして下部に細線を渡して裁断したり、枠間に張設したワイヤをケーキの上端から下端に向けて押し下げるようにして裁断したりするものとなっており、ケーキを持ち上げたり、裁断手段上に移動させたりする段階に、柔らかな周壁面に把持跡や崩れを生じてしまう虞があり、さらに、ワイヤを一方向に押し付けて裁断するものは、線状圧潰に引き摺られて生じる変形や傾き、崩れ、装飾物の変形や破損、横転、脱落などを生じる虞があり、こうしたケーキ用の包装技術および裁断技術が機能的に不十分であったり、一般家庭では常備することが困難ものになっていている点に日頃から不満を抱き、様々に飾り作られた美味しいケーキを家庭や職場などに持ち帰り、包装を解き、中から取り出したデコレーションのままに、誰にでもその型崩れさせることなく、均等に切り分けて美しいまま銘々皿に取り分けることができる技術、手段はないものかと常々痛感していた。
【０００６】
（考案の目的）
そこで、この考案は、誰でも、被包装物に変形や崩れなどを生じることなく円滑に包装を解き、包丁を使用せず、均等に美しく裁断し、ケーキサーバーなどを要さずとも簡単に銘々皿に移し変えることができる新たな技術の開発はできないものかとの判断から、逸速くその開発、研究に着手し、長期に渡る試行錯誤と幾多の試作、実験とを繰り返してきた結果、今回、遂に新規な構造のケーキ類用トレーシートを実現化することに成功したものであり、以下では、図面に示すこの考案を代表する実施例と共に、その構成を詳述することとする。                                                                          
【課題を解決するための手段】
【０００７】
（考案の構成）
図面に示すこの考案を代表する実施例からも明確に理解されるように、この考案のケーキ類用トレーシートは、基本的に次のような構成から成り立っている。
即ち、中央に被包装物の搭載域、該搭載域の外がわに把持代を設定した台紙であって、該台紙は、搭載域を２以上の分離区画に分割するよう横断する少なくとも１本の線状脆弱部を有し、該台紙の裏面壁がわには、適宜長さの切索が各線状脆弱部に沿って平行すると共に、各切索両端が各線状脆弱部の両外端に露出可能とするよう配した裁断手段を添設してなるものとした構成を要旨とするケーキ類用トレーシートである。
【０００８】
この基本的な構成からなるケーキ類用トレーシートは、より具体的なものとして示すと、中央に被包装物の搭載域、該搭載域の外がわに把持代を設定した台紙であって、該台紙は、搭載域を２以上の分離区画に分割するよう横断する少なくとも１本の線状脆弱部を有し、該台紙の裏面壁がわには、適宜長さの切索が各線状脆弱部に沿って平行すると共に、各切索両端が各線状脆弱部の両外端に露出可能とするよう配した裁断手段を添設し、切索１本毎の両端を搭載域被包装物外がわから中央上部に交叉するよう迂回し、線状脆弱部諸共絞り切断するよう操作可能なものとしてなるケーキ類用トレーシートということができる。
【０００９】
これを換言するならば、中央に被包装物の搭載域、該搭載域の外がわに把持代を設定した台紙であって、該台紙は、搭載域を２以上の分離区画に分割するよう横断する少なくとも１本の線状脆弱部を有し、該台紙の裏面壁がわには、適宜長さの切索が、各線状脆弱部に沿って平行すると共に、各切索両端が各線状脆弱部の両外端に露出可能とするよう配した裁断手段を配し、各切索を各線状脆弱部に沿うよう抱持する裁断手段用装着部を添設してなるものとしたケーキ類用トレーシートとなる。                                    
【考案の効果】
【００１０】
以上のとおり、この考案のケーキ類用トレーシートによれば、従前までのものとは違い、上記したとおりの固有の特徴ある構成から、ケーキ用などの専用のナイフやサーバなどのカトラリー類を全く準備せずとも、購入して来た被包装物の包装を解き、台紙毎取り出した上、予め備わっている裁断手段用切索を素手によって操作するだけで、誰でも簡単且つ衛生的に、しかも綺麗な形を維持したまま効率的に均等裁断し、簡便に切り分けることができる上、個別に分離した台紙分離区画に乗せたまま把持代を掴み、そのまま銘々皿に移すことができるから、従前までのように被包装物を把持して裁断手段上に移動させる必要がなく、しかも切索を一方向にのみ押し付けるようにして裁断するものに比較し、被包装物の変形や型崩れを防止して、購入当初の形状を美しいまま保つよう簡単且つ速やかに裁断することができるという秀でた特徴が得られるものである。
【００１１】
加えて、台紙の裏面壁がわの各線状脆弱部に沿って平行する裁断手段を配し、各裁断手段用の切索を各線状脆弱部に沿うよう抱持する裁断手段用装着部を添設してなるものは、各裁断手段の切索を台紙の各線状脆弱部の裏面壁がわに沿うよう保持し、不用意にズレ動いてしまうのをより確実に防止可能とし、さらに、被包装物の裁断操作に際し、裁断手段の切索が、台紙の線状脆弱部に確実に一致し、正確且つ効率的に分離区画毎に裁断することができるものとなる。
【００１２】
裁断手段用の各切索の両端夫々に把持用舌片を設けたものは、裁断に伴い切索両端を引き絞る際の操作性を高め、より正確に、しかも手に切索が食い込むのを防止してより安全に裁断できるものとなり、各把持用舌片を台紙各線状脆弱部の外端に対応する把持代に一体に設けたものは、輸送中に各把持用舌片が、移動するのを防止し、被包装物に接触して傷付けてしまうのを未然に防ぎ、裁断する際には、把持代から簡単に分離することができ、一段と合理的に利用できるものとなる。
【００１３】
各切索の両端近傍に識別印を表示してなるものは、各切索の端部を取り違えることなく簡単且つ正確に選択し、裁断操作することができるから、切断操作の失敗を格段に減らし、利用者の見誤りや混乱を防いで整然と正確に裁断できるものとすることができる。
【００１４】
台紙各把持代、および各把持用舌片の少なくとも一方に、裁断手段用各切索の搭載域の外がわに延びる両端がわ夫々を、被包装物を裁断操作する場合に展開および延伸の少なくとも何れか一方を可能とするよう仮固定可能な切索端収納部を有してなるものは、包装状態中にあっては、台紙外周縁から各切索の両端がわが延伸状に露出して邪魔になったり、互いに絡まり合ったりして見栄えを悪化させるのを防止する上、裁断操作するときには、必要な切索のみ選択的に展開操作し、裁断操作できるようにすることが可能となり、より美しく整然と包装し、効率的に裁断操作できるものとなる。
【００１５】
さらに、裁断手段用各切索の両端夫々に、切索端収納部としての切索巻き揚げ軸を有してなるものは、台紙製造の段階から、被包装物の包装に利用し、同被包装物を裁断操作する直前までの間に渡り、巻き揚げ軸に切索の端部がわを巻き取った状態に一纏めに仮固定できるようにしてあるから、各切索の端部がわを邪魔にならないようコンパクトに取りまとめて台紙の生産効率を高め、外的美観を高め、より秀れた装飾性と実用性とを達成可能なものとすることができる。
【００１６】
台紙が、上層部、および、該上層部下面壁がわとの間に各裁断手段を挟んで積層するよう下層部を配し、該下層部の各裁断手段に対応する範囲を、線状脆弱部を有して抱持する裁断手段用装着部とした下層部の、裁断手段用装着部の余となる上面壁糊代域を貼着してなるものは、上層部および下層部の間に、各裁断手段を挟み込むよう一体化してなるから、各裁断手段をより正確且つ確実に、線状脆弱部に平行するよう保持することができ、しかも上層部および下層部が、双方に設けた線状脆弱部にて分離区画毎に、容易に分割可能となり、被包装物の裁断をより円滑に行えるものとなる。
【００１７】
台紙が、上層部および下層部からなり、何れか一方が高強度の硬質素材製、何れか他方が変形容易な軟質素材製のものとし、互いの線状脆弱部同士を一致するよう対応し、各分離区画相当範囲を貼着一体化してなるものは、上下何れか一方の硬質素材製器部分が、被包装物用の器、トレー、皿、盆などの機能を担うものとなり、また、裁断後は、分離区画毎に分解器状となり、例えば、ケーキ用サーバなどのような役目を果たすものとなり、銘々皿への移し変えなどの利便性を格段に高めたものとすることができる。
【００１８】
台紙が、複数本の線状脆弱部中途同士を、搭載域内に交叉するよう配し、それら線状脆弱部中途同士の交叉位置に、同線状脆弱部の幅寸法よりも大きく拡開状した切索用の誘導孔を穿設してなるものは、複数本の線状脆弱部の中、対応する１本のみを裁断しなければならない切索が、線状脆弱部の交叉位置から、隣接する他の線状脆弱部に誤って進入し、裁断方向を変えてしまうのを阻止するものとなり、該誘導孔が、切索を本来の進むべき線状脆弱部に誘導し、被包装物を一段と正確に裁断することができるものとすることができる。                                                                                    
【考案を実施するための最良の形態】
【００１９】
上記したとおりの構成からなるこの考案の実施に際し、その最良もしくは望ましい形態について説明を加えることにする。
台紙は、被包装物を搭載して包装可能とし、包装を解いた後には、被包装物の搭載状態を維持したまま該被包装物と共に所定平面視形状に分割可能となる機能を担い、中央に被包装物の搭載域、該搭載域の外がわに把持代を設定し、搭載域を２以上の分離区画に分割するよう横断する少なくとも１本の線状脆弱部を有するものとしなければならず、その全体形状をプレート型、皿型、丼型など様々な形状のものとすることができ、合成樹脂製、紙製、布製、その他の様々な素材製、またはそれらの複合素材製とすることが可能であり、例えば、台紙が、硬質なケーキ用トレーに線状脆弱部を設けた下層部の上面に、裁断手段を挟み込むよう、ケーキ用ナプキンに線状脆弱部を設けた上層部の下面適宜範囲を貼着してなるものとすることができ、表現を変えて示すならば、後述する実施例に示すように、上層部および下層部からなり、何れか一方が高強度の硬質素材製、何れか他方が変形容易な軟質素材製のものとし、互いの線状脆弱部同士を一致するよう対応し、各分離区画相当範囲を貼着一体化してなるものとすることができる。
【００２０】
分離区画は、台紙搭載域を各線状脆弱部より裁断した場合に分割可能な最小区画範囲であり、裁断された被包装物の搭載を維持する機能を担い、その外がわに把持代を配したものとすべきであり、把持代は、被包装物を搭載した台紙の移動操に際して把持可能とする機能を担い、形状や寸法を自由に設定可能であり、折り畳みや伸縮して収納可能なものとすることができ、移動操作するときに分離区画の外がわに配することができるものとすれば良く、後述する実施例のように、搭載域の外がわに沿って帯状をなすよう設けたものとすることができる。
【００２１】
線状脆弱部は、台紙を分割する境界線となり、搭載した被包装物諸共、裁断手段によって裁断可能とする機能を担い、台紙の搭載域を２以上の分離区画に分割するよう横断する線状のものとしなければならず、台紙線状脆弱部の裏面壁がわに沿って平行するよう裁断手段を添設したものとすべきであり、線状薄肉部、線状ミシン孔部などとすることができ、後述する実施例に示すように、台紙が上層部および下層部からなり、上層部、および、該上層部下面壁がわとの間に各裁断手段を挟み、積層するよう下層部を配し、該下層部の各裁断手段に対応する範囲を、線状脆弱部を有して抱持する裁断手段用装着部とした下層部の、裁断手段用装着部の余となり、各分離区画に略相当する上面壁糊代域を貼着してなるものとすることができる。
【００２２】
裁断手段は、被包装物の包装に支障を来さぬよう、台紙の適所に収納状となり、使用の際には刃物類を使うことなく、搭載した被包装物諸共、台紙を線状脆弱部に沿って裁断可能とする機能を担い、台紙の裏面壁がわに、適宜長さの切索が、各線状脆弱部に沿って平行すると共に、各切索両端が各線状脆弱部の両外端に吐出可能とするよう配したものとすべきであり、各切索両端に把持用舌片を有してなるものとするのが望ましく、より具体的には、各切索両端に、台紙各線状脆弱部の外端に対応する把持代に設けた把持用舌片を一体化してなるものとすることができ、後述する実施例に示すように、台紙各線状脆弱部の外端に対応する把持代、および、各把持用舌片の少なくとも一方に、裁断手段用の各切索の搭載域の外がわに延びる両端がわ夫々を、被包装物を裁断操作する場合に展開および延伸の少なくとも何れか一方を可能とするよう仮固定可能な切索端収納部を有してなるもの、また、各切索両端に、切索端収納部としての切索巻き揚げ軸を有してなるものとすることができ、切索の一端のみ展開または延伸可能としたものの場合などには特に、切索を線状脆弱部に平行する方向に摺動自在に保持し、切索両端の露出長寸法を適宜張設可能とするよう抱持してなるものとするのが良い。
【００２３】
裁断手段の切索は、その中途部を被包装物の下部に配し、両端が同被包装物を互いに反対がわから上方に向けて迂回するよう取り回し、互いを交差するよう引き絞るようにして被包装物を裁断可能とする機能を担い、被包装物の包装状態にあっては台紙裏面壁がわにあって、被包装物の裁断操作に伴い、該台紙裏線状脆弱部に沿って台紙を２以上の分離区画に分割するよう裁断可能とする長さおよび強度に設定したものとしなければならず、繊維製や合成樹脂製の糸、金属製ワイヤなどとすることができる外、細いチェーン、細いチェーンソー、細帯や、ゴム紐、その他の紐状物とすることができる。
【００２４】
切索両端の把持用舌片は、切索の両端の視認性を高め、裁断操作中に、より確実に把持可能とする機能を担い、充分な強度をもって切索各端部に結合したものとしなければならず、シート状部とすることができる外、立体形状物や駒、マスコットなどとすることができ、後述する実施例に示すように、台紙各線状脆弱部の外端に対応する把持代に設けたものとすることができる。
【００２５】
識別印は、１本ずつの切索の両端を簡単に確認し、間違いなく裁断操作可能とする機能を担い、台紙各線状脆弱部の外端に対応する把持代、および、各把持用舌片の少なくとも一方に、各切索の両端を一対として個別確認可能とする表示としなければならず、１本の切索の両端が対応する適所に、数字や記号、色、打ち抜き孔形状、凹凸形状、添付部品、その他、またはそれらの組合せなど、一対であることを識別可能な印を表示したものとすべきであり、把持用舌片自体の形状や色などとすることも可能である。
【００２６】
切索端収納部は、被包装物が包装状態にある場合に、各切索の両端がわを露出させずに収納可能とし、被包装物を裁断する段階には、各切索の両端がわを引き出し、展開し、または延伸するなどして露出可能とする機能を担い、台紙各線状脆弱部の外端に対応する把持代、および、各把持用舌片の少なくとも一方に設けたものとすべきであり、後述する実施例に示すように、切索の両端に切索巻き揚げ軸を設け、巻き上げて把持代間に設けた舌片内に収納してなるものとすることができる。
【００２７】
誘導孔は、複数本の線状脆弱部中途同士を、搭載域内に交叉するよう配したものの場合、裁断操作中の切索が、線状脆弱部の交叉点を通過する際、隣接する外の線状脆弱部に誤って入り込むのを防止可能とする機能を担い、線状脆弱部の幅寸法よりも大きく拡開状したものとしなければならず、後述する実施例に示すように、線状脆弱部中途同士の交叉縁を面取りしてなるものとするのが良い。
【００２８】
被包装物は、包装の対象物であって包装を解き裁断して利用する対象物品であり、切索の巻き付け、引き絞り操作によって裁断可能な素材製のものであるということができ、より具体的には、ホールケーキやロールケーキなどの外、ホットケーキ、パンケーキ、パン、タルト、お好み焼き、ピザ、クッキー、饅頭、餅プリン、ゼリー、チーズ、バター、アイスクリーム、羊羹、豆腐、こんにゃく、ゆで卵、ハム、ソーセージ、果物、野菜、表現を変えると、洋菓子、和菓子、生菓子、焼き菓子、氷菓子、生鮮食品、加工食品、その他の様々な食品類の外、パテ、スポンジ、発泡樹脂、石鹸、ゲル、グリース、固形燃料、半固形接着剤、保革油、蝋、その他の切索によって裁断可能な様々な産業用物品類などに対しても適用することが可能であり、硬質素材製であっても脆弱部分を有するものや、切索の摺動操作によって切削裁断可能なものなど、切索によって切断可能なものは、何れも被包装物とすることができる。
以下では、図面に示すこの考案を代表する実施例と共に、その構造について詳述することとする。                                                                            
【図面の簡単な説明】
【００２９】
図面は、この考案のケーキ類用トレーシートの技術的思想を具現化した代表的な幾つかの実施例を示すものである。
【図１】ケーキ類用トレーシートを示す平面図である。
【図２】分解状態にあるケーキ類用トレーシートを示す斜視図である。
【図３】分解状態の切索端周辺を拡大して示す斜視図である。
【図４】ホールケーキを載置したケーキ類用トレーシートを示す平面図である。
【図５】ホールケーキを載置したケーキ類用トレーシートを示す正面図である。
【図６】ホールケーキを載置したケーキ類用トレーシートを示す斜視図である。
【図７】裁断開始状態のケーキ類用トレーシートを示す斜視図である。
【図８】裁断操作中のケーキ類用トレーシートを示す斜視図である。
【図９】裁断操作後のケーキ類用トレーシートを示す斜視図である。
【図１０】ホールケーキを載置したその他のケーキ類用トレーシートを示す平面図である。
【図１１】ロールケーキを載置したその他のケーキ類用トレーシートを示す平面図である。
【図１２】ロールケーキを載置したその他のケーキ類用トレーシートを示す側面図である。
【図１３】ロールケーキを載置したその他のケーキ類用トレーシートを示す正面図である。
【図１４】ロールケーキを裁断操作中のケーキ類用トレーシートを示す正面図である。
【実施例１】
【００３０】
図１ないし図９に示す事例は、中央に搭載する被包装物７の外がわとなる周囲に把持代２３を設定した台紙２であって、該台紙２は、２以上の分離区画２２，２２，……に分割するよう横断する少なくとも１本の線状脆弱部２１，２１を有し、該台紙２の裏面壁３０がわには、各線状脆弱部２１，２１に沿って平行すると共に、各両端が各線状脆弱部２１，２１の両外端に吐出可能とするよう配した切索５０，５０を有する裁断手段５，５を添設してなるものとした、この考案のケーキ類用トレーシートにおける代表的な一実施例を示すものである。
【００３１】
この実施例における台紙２は、その全体が皿形状の包装皿２であり、ケーキ用ナプキンなどの紙製円形シートからなる上層部３、および、ケーキ用トレーとなる硬質紙または合成樹脂などからなる下層部４からなり、上層部３の上面中央には、円形のホールケーキ（被包装物）７を載置可能とする搭載域２０を設定し、該搭載域２０は、その中心に平面視十字形に交叉する２本の直線状ミシン孔線からなる線状脆弱部２１，２１が、互いに９０°の開き角度をもって横断（または縦断）し、それら線状脆弱部２１，２１によって区画した平面視扇状の４個の分離区画２２，２２，……を設定したものとしてあり、各分離区画２２，２２，……の外周囲には夫々略円弧形帯状の把持代２３，２３，……を設けたものとする一方、前記下層部４は、後述する用裁断手段５を該上層部３下面壁３０との間に挟み込むようにして一体化してなるものである。
【００３２】
裁断手段５は、搭載および裁断対象となるホールケーキ７の直径の２培に、高さの２培を加え、さらに、引き絞り操作に必要な余裕長さを加えた全長寸法とした、繊維製糸や合成樹脂製糸などの切索５０、および、切索５０の両端に結着し、収納中に余剰となる両端がわを巻き取った巻き揚げ軸６０，６０からなり、各裁断手段５，５は、各１本の切索５０，５０の中途範囲を上層部３下面壁３０の線状脆弱部２１，２１に沿って平行に配置し、各巻き揚げ軸６０，６０，……が、線状脆弱部２１，２１の外端に配した上、該上層部３分離区画２２，２２，……に対し、それらに対応する下層部４上面壁糊代域４０，４０，……（図２中の二点鎖線ハッチング範囲）を貼着一体化し、下層部４上面壁糊代域４０，４０，……間に余となり、平面視十字形帯状となって前記上層部３線状脆弱部２１，２１直下に対峙するする被貼着箇所に、前記線状脆弱部２１，２１と同じ平面十字形状に交叉する２本の直線状ミシン孔線からなる線状脆弱部４１，４１を設けたものとし、該下層部４が裁断手段５，５用装着部４の機能を兼ねたものとなる。
【００３３】
各裁断手段５，５切索５０，５０の両端巻き揚げ軸６０，６０，……は、上層部３および下層部４各、線状脆弱部２１，２１，４１，４１の各端部に配し、上層部３および下層部４の各把持代２３，２３，……間に入れた切り込み間に、基部を一体に残こしてなる各上下舌片５１，５１間に挟み、巻き揚げ軸６０，６０，……の両軸端を上舌片５１の周方向に延出状とし、同周方向端に隣接する把持代２３，２３上面壁上に露出するよう弾性的に挟着保持させたものとし、さらに、各上下舌片５１，５１……は、巻き揚げ軸６０，６０，……を回転自在に挟持するよう、夫々糊などの人畜無害な接着剤にて一体化するよう貼着したものとしてある。
【００３４】
図１、図２、および図４に示すように、包装皿２上層部３中央の線状脆弱部２１，２１交叉位置には、各線状脆弱部２１，２１の各々の幅寸法よりも大きく拡開状した切索５０用の誘導孔２４を穿設し、各線状脆弱部２１，２１の交叉位置に対峙する各分離区画２２，２２，……の対峙先端が平面円弧形状に大きく面取りしてなるものとしてある。
【００３５】
図１０に示すように、包装皿２に３本の線状脆弱部２１，２１，……を中央で交叉するよう等角度間隔に配したものとすることが可能であり、その本数は自由に設定することができ、また、上層部３各舌片５１，５１，……の表面に、１本の裁断手段５切索５０両端を識別可能とするよう同じ数字の識別印５２を印刷表示してなるものとすることができる。
【００３６】
図１１ないし図１４に示すように、包装皿２をロールケーキ７用の平面視長方形状の包装皿２とし、その中央に搭載域２０を設定し、搭載ロールケーキ７の長手方向に沿う左右縁夫々に把持代２３，２３，……を設け、ロールケーキ７用搭載域２０には、その長手方向の等間隔置き毎に、線状脆弱部２１，２１，……を左右方向に向けて平行に配列するよう設け、各線状脆弱部２１，２１，……の下面壁３０下に、夫々裁断手段５，５，……切索５０，５０，……を掛け渡すよう、糊などの人畜無害な接着剤を用いて仮止め状に貼着し、各切索５０，５０，……の巻き揚げ軸６０，６０，……は、その中央を包装皿２から切り出した舌片５１，５１，……が隠蔽状とするよう下向きに抑え、各巻き揚げ軸６０，６０，……両端を対応する各把持代２３，２３，……が上向きに抑え、上下挟持するよう仮止め保持すると共に、各巻き揚げ軸６０，６０，……を夫々対応する舌片５１，５１，……に対し、糊などの人畜無害な接着剤を用いて貼着・一体化したものとしてある。
【００３７】
（実施例１の作用・効果）
以上のとおりの構成からなるこの考案のケーキ類用トレーシート１は、図１ないし図９に示すように、包装皿２搭載域２０上にホールケーキ７を搭載し、ケーキ用の包装箱（図示せず）に収容して保管、輸送、展示、販売することが可能であり、包装状態にあっては、各裁断手段５，５切索５０，５０は、上層部３下に隠蔽した状態となり、外観を悪化させることなく、通常の包装用トレーと同等の外観を保つことができ、購入後に切り分ける際には、図３ないし図６に示すように、ケーキ用の包装箱（図示せず）の包装を解いてホールケーキ７を当該包装皿２に搭載したまま取り出し、図７ないし図９に示すように、何れか選択した１つの裁断手段５切索５０両端一対の巻き揚げ軸６０，６０を、それらを隠蔽している上下舌片５１，５１，……諸共、線状脆弱部２１，４１両端から引き千切り、各巻き揚げ軸６０，６０に巻き付いている切索５０両端がわを展開するよう引き出した上、図７に示すように、切索５０両端がわをホールケーキ７の１８０°隔てた反対がわからより外がわ上方に取り回し、図８に示すよう、同ホールケーキ７の上部中央に交叉して引き絞るよう操作し、上層部３線状脆弱部２１諸共、ホールケーキ７を平面視半円状に裁断するよう操作し、さらに、別の裁断手段５を同様に操作して上層部３線状脆弱部２１諸共、ホールケーキ７を平面視９０°の扇状に裁断した後、図９に示すように、把持代２３，２３，……の適所を把持して下層部４線状脆弱部４１，４１を切り離し、図示しない銘々皿に移動することが可能となる。
【００３８】
図８に示すように、前述の裁断手段５切索５０を操作する過程中に、線状脆弱部２１，２１の交叉点を切索５０中途部が通過するとき、誘導孔２４が、平面視で９０°異なる別の線状脆弱部２１に入り込むのを阻止し、対峙する分離区画２２，２２，……の平面視９０°の先端を大きく面取りしてあるから、同切索５０中途部を確実に誘導し、一段と円滑に裁断操作可能となる。
【００３９】
図１０に示すケーキ類用トレーシート１は、ホールケーキ７を平面視４５°の扇状に裁断することが可能であり、裁断する際に、上層部３各舌片５１，５１，……の表面に表示した識別印５２，５２，……を目印に、同一の識別印５２，５２、つまり同一数字の表示された舌片５１，５１を把持し、裁断手段５切索５０巻き揚げ軸６０，６０を引き出して裁断操作することが可能となり、誤って別の切索５０巻き揚げ軸６０を把持・操作してしまうトラブルをより確実に防止できるものとなる。
【００４０】
図１１ないし図１４に示すように、ロールケーキ７用とした包装皿２は、包装を解き図示しない包装箱から取り出した後、包丁や定規などを一切必要とせず、所望する厚みとなる任意位置の裁断手段５切索５０両端を引き出して、図１４に示すよう、切索５０両端をロールケーキ７の外周を回り込み上部で交叉するよう絞り込み、包装皿２諸共ロールケーキ７を好みの厚さに裁断することが可能である。
【００４１】
（結  び）
叙述の如く、この考案のケーキ類用トレーシートは、その新規な構成によって所期の目的を遍く達成可能とするものであり、しかも製造も容易で、従前からのケーキ類の裁断技術に比較して大幅に利便性を高め、軽量且つ低廉化して遥かに経済的なものとすることができる上、様々な食品類は勿論のこと、同様の裁断、分割作業を要する産業用物品類などの切断作業性を大幅に改善し得るものとして適用可能になることから、衛生的な美しい包装を課題とし、被包装物を裁断する作業の不便さに着目することのなかった包装用品業界や、これまでケーキ類の裁断に専用のナイフや専用サーバなどのカトラリー類を必要としていた一般家庭などからは勿論のこと、これら技術を適用可能な台所用品業界および金物業界においても高く評価され、広範に渡って利用、普及していくものになると予想される。                                                                                    
【符号の説明】
【００４２】
１      ケーキ類用トレーシート
２      包装皿（台紙）
２０    同  搭載域
２１    同  線状脆弱部
２２    同  分離区画
２３    同  把持代
２４    同  誘導孔
３      上層部
３０    同  下面壁
４      下層部（裁断手段用装着部）
４０    同  上面壁糊代域
４１    同  線状脆弱部
５      裁断手段
５０    同  切索
５１    同  舌片
５２    同  識別印
６      切索端収納部
６０    同  巻き揚げ軸
７      ホールケーキ、ロールケーキ（被包装物）
【図１】
0003196731.tif 000003
【図２】
0003196731.tif 000004
【図３】
0003196731.tif 000005
【図４】
0003196731.tif 000006
【図５】
0003196731.tif 000007
【図６】
0003196731.tif 000008
【図７】
0003196731.tif 000009
【図８】
0003196731.tif 000010
【図９】
0003196731.tif 000011
【図１０】
0003196731.tif 000012
【図１１】
0003196731.tif 000013
【図１２】
0003196731.tif 000014
【図１３】
0003196731.tif 000015
【図１４】
0003196731.tif 000016